(57)【要約】【課題】施設の各所に設置された電子看板に表示させる防災情報を火災の拡大に合わせて切り替える防災システムを提供する。【解決手段】防災システムの第１信号受信部は、施設の各所に設置された火災感知手段から火災感知信号を受信する。信号送信部は、火災感知信号が受信されると、火災情報信号を送信する。第２信号受信部は、送信された火災情報信号を受信する。表示制御部は、火災情報信号が受信されると、当該火災情報信号に対応した防災情報を、施設の各所に設置された電子看板に表示させる。特に表示制御部は、火災の確定を通知する火災情報信号が受信された後にさらに別の火災情報信号が受信されると、電子看板の表示を当該別の火災情報信号に対応した防災情報に切り替えさせる。【選択図】図１
2018124712.tif 000002
【特許請求の範囲】
【請求項１】
施設の各所に設置された火災感知手段から火災感知信号を受信する第１信号受信部と、
前記第１信号受信部により火災感知信号が受信されると、火災情報信号を送信する信号送信部と、
前記信号送信部により送信された火災情報信号を受信する第２信号受信部と、
前記第２信号受信部により火災情報信号が受信されると、当該火災情報信号に対応した防災情報を、前記施設の各所に設置された電子看板に表示させる表示制御部と
を備え、
前記表示制御部は、前記第２信号受信部により火災の確定を通知する火災情報信号が受信された後にさらに別の火災情報信号が受信されると、前記電子看板の表示を当該別の火災情報信号に対応した防災情報に切り替えさせることを特徴とする防災システム。
【請求項２】
施設の各所に設置された火災感知手段から火災感知信号を受信する第１信号受信部と、
前記第１信号受信部により火災感知信号が受信されると、火災情報信号を送信する信号送信部と、
前記信号送信部により送信された火災情報信号を受信する第２信号受信部と、
前記第２信号受信部により火災情報信号が受信されると、当該火災情報信号に対応した防災情報を、前記施設の各所に設置された電子看板に表示させる表示制御部と
を備え、
前記表示制御部は、前記第２信号受信部により火災情報信号が受信されてから所定時間が経過すると、前記電子看板の表示を当該経過時間に対応した防災情報に切り替えさせることを特徴とする防災システム。
【請求項３】
前記電子看板の表示切り替えの遅延を指示する遅延指示を受け付ける遅延指示受付部をさらに備え、
前記表示制御部は、前記遅延指示受付部により遅延指示が受け付けられると、当該遅延指示に応じて前記表示の切り替えを遅延させる
ことを特徴とする請求項２に記載の防災システム。
【請求項４】
前記電子看板の表示切り替えの停止を指示する停止指示を受け付ける停止指示受付部をさらに備え、
前記表示制御部は、前記停止指示受付部により停止指示が受け付けられると、当該停止指示に応じて前記表示の切り替えを停止させる
ことを特徴とする請求項２又は３に記載の防災システム。
【請求項５】
前記防災情報を表示すべき電子看板を特定する表示先特定部をさらに備え、
前記表示制御部は、前記表示先特定部により特定された電子看板に防災情報を表示させ、
前記表示先特定部により特定される電子看板の数は、前記第２信号受信部により受信された火災情報信号の数に応じて増加する
ことを特徴とする請求項１に記載の防災システム。
【請求項６】
前記防災情報を表示すべき電子看板を特定する表示先特定部をさらに備え、
前記表示制御部は、前記表示先特定部により特定された電子看板に防災情報を表示させ、
前記表示先特定部により特定される電子看板の数は、前記第２信号受信部により火災情報信号が受信されてから経過した時間に応じて増加する
ことを特徴とする請求項２に記載の防災システム。
【請求項７】
前記防災情報は、各々異なる言語で表現された複数の防災情報により構成され、
前記電子看板において前記防災情報が表示される際に、当該防災情報を構成する各々異なる言語で表現された複数の防災情報が表示される表示順序を特定する表示順序特定部をさらに備え、
前記表示制御部は、前記表示順序特定部により特定された表示順序で、前記防災情報を構成する各々異なる言語で表現された複数の防災情報を前記電子看板に表示させ、
前記表示順序特定部により特定される表示順序は、他の電子看板との配置関係に基づいて決定される
ことを特徴とする請求項１乃至６のいずれか１項に記載の防災システム。
【請求項８】
前記防災情報は、各々異なる言語で表現された複数の防災情報により構成され、
前記表示制御部は、前記電子看板に前記防災情報を表示させる際に、当該防災情報を構成する各々異なる言語で表現された複数の防災情報の各々を、前記電子看板上に分割して形成された異なる表示領域に表示させる
ことを特徴とする請求項１乃至７のいずれか１項に記載の防災システム。
【請求項９】
前記電子看板は、発話者の音声を収音する収音部を備え、
前記表示制御部は、前記収音部に収音された音声に基づいて特定された使用言語により表現された防災情報を前記電子看板に表示させる
ことを特徴とする請求項１乃至６のいずれか１項に記載の防災システム。
【請求項１０】
前記電子看板は、携帯端末から当該携帯端末の利用者の使用言語を示す言語情報を取得する言語情報取得部を備え、
前記表示制御部は、前記言語情報取得部により取得された言語情報により示される言語で表現された防災情報を前記電子看板に表示させる
ことを特徴とする請求項１乃至６のいずれか１項に記載の防災システム。
【発明の詳細な説明】
【技術分野】
【０００１】
本発明は、施設内で火災が発生したときに、当該施設内に設置される電子看板に防災情報を表示させる防災システムに関する。
【背景技術】
【０００２】
従来、施設内で火災が発生した場合に、当該施設内に設置される表示装置に防災情報を表示させて施設利用者に通知する防災システムが知られている。例えば、特許文献１には、商業施設に配置された広告ディスプレイ装置を利用して防災情報を施設利用者に知らせる防災情報表示システムが記載されている。特許文献２には、火災受信機に通信線を介して接続された表示機に、火元の火災感知器の情報と避難経路情報とを表示させる防災システムが記載されている。
【先行技術文献】
【特許文献】
【０００３】
【特許文献１】特許第６００９８６３号公報
【特許文献２】特開２０１６−１７０６４８号公報
【発明の概要】
【発明が解決しようとする課題】
【０００４】
しかし、従来の防災システムは、表示装置に表示させる防災情報を火災の拡大に合わせて切り替えるものではなかった。本発明はこのような事情に鑑みてなされたものであり、施設の各所に設置された電子看板に表示させる防災情報を火災の拡大に合わせて切り替える防災システムを提供することを目的とする。
【課題を解決するための手段】
【０００５】
上記の課題を解決するため、本発明は、施設の各所に設置された火災感知手段から火災感知信号を受信する第１信号受信部と、前記第１信号受信部により火災感知信号が受信されると、火災情報信号を送信する信号送信部と、前記信号送信部により送信された火災情報信号を受信する第２信号受信部と、前記第２信号受信部により火災情報信号が受信されると、当該火災情報信号に対応した防災情報を、前記施設の各所に設置された電子看板に表示させる表示制御部とを備え、前記表示制御部は、前記第２信号受信部により火災の確定を通知する火災情報信号が受信された後にさらに別の火災情報信号が受信されると、前記電子看板の表示を当該別の火災情報信号に対応した防災情報に切り替えさせることを特徴とする防災システムを提供する。
【０００６】
また、本発明は、施設の各所に設置された火災感知手段から火災感知信号を受信する第１信号受信部と、前記第１信号受信部により火災感知信号が受信されると、火災情報信号を送信する信号送信部と、前記信号送信部により送信された火災情報信号を受信する第２信号受信部と、前記第２信号受信部により火災情報信号が受信されると、当該火災情報信号に対応した防災情報を、前記施設の各所に設置された電子看板に表示させる表示制御部とを備え、前記表示制御部は、前記第２信号受信部により火災情報信号が受信されてから所定時間が経過すると、前記電子看板の表示を当該経過時間に対応した防災情報に切り替えさせることを特徴とする防災システムを提供する。
【発明の効果】
【０００７】
本発明に係る防災システムによれば、施設の各所に設置された電子看板に表示させる防災情報を火災の拡大に合わせて切り替えることができる。
【図面の簡単な説明】
【０００８】
【図１】防災システム１の構成の一例を示す図である。
【図２】火災受信機５の構成の一例を示す図である。
【図３】感知器データベース５２１の一例を示す図である。
【図４】表示装置６の構成の一例を示す図である。
【図５】表示制御サーバ７の構成の一例を示す図である。
【図６】各種データベースの一例を示す図である。
【図７】表示制御動作の一例を示すフローチャートである。
【図８】感知器発報画面表示制御の一例を示すフローチャートである。
【図９】防災画面の一例を示す図である。
【図１０】火災画面表示制御の一例を示すフローチャートである。
【図１１】非火災画面表示制御の一例を示すフローチャートである。
【図１２】火災受信機５Ａの構成の一例を示す図である。
【図１３】表示制御サーバ７Ａの構成の一例を示す図である。
【図１４】表示制御動作の一例を示すフローチャートである。
【図１５】表示装置６Ａの構成の一例を示す図である。
【図１６】表示制御動作の一例を示すフローチャートである。
【図１７】感知器発報画面表示制御の一例を示すフローチャートである。
【図１８】火災画面表示制御の一例を示すフローチャートである。
【図１９】非火災画面表示制御の一例を示すフローチャートである。
【図２０】表示装置６Ｂの構成の一例を示す図である。
【図２１】表示制御動作の一例を示すフローチャートである。
【発明を実施するための形態】
【０００９】
１．第１実施形態
１−１．防災システム１の構成
図１は、本発明の一実施形態に係る防災システム１の構成の一例を示す図である。防災システム１は、自動火災報知設備２（以下、「自火報設備２」）と表示システム３とを備える。
【００１０】
＜自火報設備２の構成＞
自火報設備２は、防火対象物である施設に設置される。ここで施設とは、駅やデパートやショッピングセンター等の商業施設や、空港等の公共施設や、病院等の医療施設や、大学等の教育施設である。自火報設備２は、施設の各所に設置される火災感知器４と、施設の防災センタに設置される火災受信機５とを備える。火災感知器４と火災受信機５は信号線を介して接続される。火災受信機５は、通信回線８を介して表示制御サーバ７とも接続される。ここで通信回線８は、例えば、インターネットや無線ＬＡＮ等の通信ネットワークである。自火報設備２は、Ｐ型システムであってもＲ型システムであってもよい。以下の説明において、自火報設備２はＲ型システムであるとする。
【００１１】
＜火災感知器４の構成＞
火災感知器４は火災感知手段の一例であり、例えば光電式の煙感知器である。火災感知器４は、図示を省略するが、火災時に発生する煙を検知して火災を検出する火災検出部と、火災検出部が火災を検出すると自己の識別情報であるアドレスを含む火災感知信号を火災受信機５に送信する信号送信部とを備える。なお変形例として火災感知器４は、熱感知器や炎感知器等の他の種類の感知器であってもよい。
【００１２】
＜火災受信機５の構成＞
図２は、火災受信機５の構成の一例を示す図である。火災受信機５は、制御部５１と、記憶部５２と、表示部５３と、操作入力部５４と、第１通信部５５と、第２通信部５６とを備える。
【００１３】
制御部５１は、ＣＰＵ等の演算処理装置とＲＡＭ等の揮発性メモリとを備え、記憶部５２に記憶されるプログラムを実行する。記憶部５２は、ＨＤＤやフラッシュメモリ等の記憶装置であり、制御部５１により実行されるプログラムと、感知器データベース５２１とを記憶する。図３は、感知器データベース５２１の一例を示す図である。感知器データベース５２１は、火災感知器４のアドレスと対応付けて、当該感知器の設置場所の地区番号及び地区名称等を格納する。なお変形例として、記憶部５２は外部記憶装置であってもよい。表示部５３は、液晶ディスプレイや有機ＥＬディスプレイ等の表示装置であり、その他に各種の状態を代表的に示すＬＥＤ等による表示灯が含まれていてもよい。操作入力部５４は、操作ボタンやタッチパネル等の入力装置である。第１通信部５５は、火災感知器４と信号線を介して通信を行うための通信インタフェースである。第２通信部５６は、表示制御サーバ７と通信回線８を介して通信を行うための通信インタフェースである。
【００１４】
火災受信機５の制御部５１は、記憶部５２に記憶されるプログラムを実行することにより、第１信号受信部５１１と、火災判定部５１２と、信号送信部５１３という機能を実現する。
【００１５】
第１信号受信部５１１は、火災感知器４から火災感知信号を受信する。火災感知信号を受信すると、感知器データベース５２１を参照して、当該信号に含まれるアドレスに対応する設置場所を特定する。また、第１信号受信部５１１は、図示せぬ発信機から信号線を介して火災信号を受信する。
【００１６】
火災判定部５１２は、第１信号受信部５１１により受信された信号に基づいて火災の発生を判定する。具体的には、２台目の火災感知器４から火災感知信号が受信された場合と、１台目の火災感知器４から火災感知信号が受信されてから一定時間が経過した場合と、発信機から火災信号が受信された場合に、火災の発生を判定する。また、火災判定部５１２は、操作入力部５４を用いて火災確定操作がなされた場合にも火災の発生を判定する。
【００１７】
信号送信部５１３は、表示制御サーバ７に対して火災情報信号を送信する。具体的には、第１信号受信部５１１により火災感知信号が受信されると、当該感知器が作動したことを通知する感知器発報信号を表示制御サーバ７に送信する。この感知器発報信号には、作動した火災感知器４のアドレスと設置場所情報とが含まれる。また、信号送信部５１３は、火災判定部５１２により火災の発生が判定されると、火災の確定を通知する火災確定信号を表示制御サーバ７に送信する。また、信号送信部５１３は、操作入力部５４を用いて復旧操作がなされると、非火災信号を表示制御サーバ７に送信する。
【００１８】
なお詳細に説明しないが、火災受信機５は、火災発生時に主音響及び地区音響の火災警報を行う機能を有し、地区音響としては、地区ベルの音響制御を行ったり、非常放送設備を利用して音声警報制御を行ったりし、必要なフロアや施設全体等を対象に火災警報動作を行う。
【００１９】
＜表示システム３の構成＞
表示システム３は、防火対象物である各種の施設で日常的に用いられるものであり、施設の目的に応じて必要な各所に設置される表示装置６と、表示制御サーバ７とを備える。表示装置６と表示制御サーバ７は通信回線８を介して接続される。
【００２０】
＜表示装置６の構成＞
図４は、表示装置６の構成の一例を示す図である。表示装置６はデジタルサイネージである。ここでデジタルサイネージとは、電子的な表示装置を備え、広告やフロアガイド、ニュース等の情報を表示する電子看板である。デジタルサイネージに表示される情報は、当該装置に記憶される情報を更新することで変更することができ、表示情報を一定時間ごとに表示を切り替えることもできる。デジタルサイネージは、主に屋外や店頭に設置される。この表示装置６は、制御部６１と、記憶部６２と、表示部６３と、通信部６４とを備える。
【００２１】
制御部６１は、ＣＰＵ等の演算処理装置とＲＡＭ等の揮発性メモリとを備え、記憶部６２に記憶されるプログラムを実行する。記憶部６２は、ＨＤＤやフラッシュメモリ等の記憶装置であり、制御部６１により実行されるプログラムと、広告やフロアガイド等の非防災情報と、非防災情報の表示スケジュールと、自己の識別情報である表示装置アドレスを記憶する。表示部６３は、プラズマディスプレイや液晶ディスプレイやプロジェクタ等の表示装置である。表示部６３は、通常、制御部６１による制御の下、記憶部６２に記憶される非防災情報を表示スケジュールに従って表示する。通信部６４は、表示制御サーバ７と通信回線８を介して通信を行うための通信インタフェースである。
【００２２】
表示装置６の制御部６１は、記憶部６２に記憶されるプログラムを実行することにより、表示指示受信部６１１と、表示制御部６１２という機能を実現する。
【００２３】
表示指示受信部６１１は、表示制御サーバ７から表示指示を受信する。
【００２４】
表示制御部６１２は、表示指示受信部６１１により表示指示が受信されると、当該表示指示に従って表示部６３に防災情報を表示させる。具体的には、感知器発報画面の表示を指示されると、表示部６３の表示を非防災情報から感知器発報画面に切り替える。火災画面の表示を指示されると、表示部６３の表示を非防災情報又は感知器発報画面から火災画面に切り替える。火災画面がすでに表示されている場合には、火災画面を更新する。非火災画面の表示を指示されると、表示部６３の表示を感知器発報画面から非火災画面に切り替える。防災情報を表示させる際、表示制御部６１２は、当該防災情報を構成する各々異なる言語で表現された複数の防災情報を、受信された表示指示により示される表示順序で表示させる。
【００２５】
＜表示制御サーバ７の構成＞
図５は、表示制御サーバ７の構成の一例を示す図である。表示制御サーバ７は、火災受信機５から送信される火災情報信号に基づいて表示装置６に防災情報を表示させるコンピュータ装置である。この表示制御サーバ７は、制御部７１と、記憶部７２と、通信部７３とを備える。
【００２６】
制御部７１は、ＣＰＵ等の演算処理装置とＲＡＭ等の揮発性メモリとを備え、記憶部７２に記憶されるプログラムを実行する。記憶部７２は、ＨＤＤやフラッシュメモリ等の記憶装置であり、制御部７１により実行されるプログラムと、表示装置６に表示させる防災情報とを記憶する。ここで防災情報とは、具体的には、防災情報を通知する防災画面の情報である。より具体的には、火災感知器４が作動したことを通知する感知器発報画面（感知器発報の場所と表示装置６の閲覧者の現在位置を示す感知器発報地図を含めてもよいし、感知器発報地図画面を別に設けて交互に表示する画面としてもよい）と、火災の確定を通知するとともに火災の発生場所と表示装置６の閲覧者の現在位置を通知する火災画面（火災確定の通知のみを火災画面とし、火災の発生場所と表示装置６の閲覧者の現在位置を示す火災地図画面を別に設けて交互に表示する画面としてもよい）と、火災の不発生が確認されたことを通知する非火災画面（表示装置６の閲覧者の現在位置を示す非火災地図を含めてもよいし、非火災地図画面を別に設けて交互に表示する画面としてもよい）の情報である。各防災画面は、各々異なる言語で表現された複数の防災画面により構成される。具体的には、日本語、英語、中国語及び韓国語で各々表現された複数の防災画面により構成される。なお、言語の数と種類は、想定される閲覧者の使用言語に応じて変更されてよい。
【００２７】
また、記憶部７２は、信号データベース７２１と、表示装置データベース７２２と、連動データベース７２３とを記憶する。図６（ａ）は、信号データベース７２１の一例を示す図である。信号データベース７２１は、火災受信機５から受信される各火災情報信号について、信号の受信日時と、信号の種類と、信号に含まれる火災感知器４のアドレスとを対応付けて格納する。図６（ｂ）は、表示装置データベース７２２の一例を示す図である。表示装置データベース７２２は、施設の各所に設置される表示装置６のアドレスと対応付けて、当該装置の設置場所の地区番号及び地区名称と、防災画面の表示順序とを格納する。ここで防災画面の表示順序とは、防災画面を構成する各々異なる言語で表現された複数の画面が表示される順序のことである。各表示装置６の表示順序は、他の表示装置６との配置関係に基づいて予め決定される。具体的には、隣接または近接する表示装置６の表示順序が各々異なるように予め決定される。これは、隣接または近接する表示装置６に異なる言語が同時に順次表示されるようにして、表示装置６の閲覧者が、自身が理解できる言語で表現された防災情報が表示されるまで待たされる時間を短縮するためである。図６（ｃ）は、連動データベース７２３の一例を示す図である。連動データベース７２３は、火災感知器４が作動した際に、当該事象を表示させるべき表示装置６を特定するために参照されるデータベースである。連動データベース７２３は、火災感知器４のアドレスと表示装置６のアドレスとを対応付けて格納する。図６（ｃ）は一例であり、火災感知器４のアドレスに複数の表示装置６のアドレスを対応付けてもよい。なお変形例として、記憶部７２は外部記憶装置であってもよい。
【００２８】
通信部７３は、火災受信機５及び表示装置６と通信回線８を介して通信を行うための通信インタフェースである。
【００２９】
表示制御サーバ７の制御部７１は、記憶部７２に記憶されるプログラムを実行することにより、第２信号受信部７１１と、表示先特定部７１２と、情報生成部７１３と、表示順序特定部７１４と、表示制御部７１５という機能を実現する。
【００３０】
第２信号受信部７１１は、火災受信機５の信号送信部５１３により送信された火災情報信号を受信する。具体的には、感知器発報信号、火災確定信号又は非火災信号を受信する。火災情報信号を受信すると、当該信号の情報を受信日時と対応付けて信号データベース７２１に登録する。
【００３１】
表示先特定部７１２は、第２信号受信部７１１により火災情報信号が受信されると、防災情報を表示すべき表示装置６を特定する。具体的には、感知器発報信号又は非火災信号が受信されると、信号データベース７２１と連動データベース７２３とを参照して表示装置６を特定する。より具体的には、信号データベース７２１を参照して、それまでに作動した火災感知器４を特定し、次に連動データベース７２３を参照して、特定した火災感知器４に対応付けられている表示装置６を特定する。一方、火災確定信号が受信されると、表示装置データベース７２２を参照してすべての表示装置６を特定する。すなわち、表示先特定部７１２により特定される表示装置６の数は、第２信号受信部７１１により受信された火災情報信号の数に応じて増加する。
【００３２】
情報生成部７１３は、第２信号受信部７１１により火災情報信号が受信されると、受信された火災情報信号に対応する防災情報を取得又は生成する。具体的には、第１報の感知器発報を示す感知器発報信号が受信されると、感知器発報画面情報を記憶部７２から取得する（感知器発報画面と合わせて感知器発報地図画面の情報を生成してもよい）。第２報以降の感知器発報を示す感知器発報信号か又は火災確定信号が受信されると、火災画面情報を記憶部７２から取得する。そして、信号データベース７２１を参照して、それまでに作動した火災感知器４の場所（すなわち火災発生場所）を、火災画面に示される施設の地図上にプロットする。また、表示装置データベース７２２を参照して、表示先特定部７１２により特定された表示装置６の設置場所（すなわち閲覧者の現在位置）を、火災画面に示される施設の地図上にプロットして、表示装置６に送信する火災画面情報を生成する（火災確定の通知を火災画面とし、通知画面と火災地図画面とに分けて情報を生成してもよい）。非火災信号が受信された場合には、非火災画面情報を記憶部７２から取得する（非火災画面と合わせて非火災地図画面の情報を生成してもよい）。
【００３３】
表示順序特定部７１４は、表示先特定部７１２により特定された表示装置６において防災情報が表示される際に、当該防災情報を構成する各々異なる言語で表現された複数の防災情報が表示される表示順序を特定する。その際、表示順序特定部７１４は、表示装置データベース７２２を参照して表示順序を特定する。
【００３４】
表示制御部７１５は、表示先特定部７１２により特定された表示装置６に対して、情報生成部７１３により当該装置のために取得又は生成された防災画面情報と、表示順序特定部７１４により当該装置のために特定された表示順序を示す表示順序情報とを含む表示指示を送信する。すなわち、表示制御部７１５は、当該特定された表示装置６に、当該取得又は生成された防災情報を構成する各々異なる言語で表現された複数の防災情報を、当該特定された表示順序で表示させる。
【００３５】
１−２．防災システム１の動作
表示制御サーバ７により実行される表示制御動作について説明する。図７は、表示制御動作の一例を示すフローチャートである。この表示制御動作は、表示制御サーバ７が火災受信機５から火災情報信号を受信すると実行される。
【００３６】
表示制御サーバ７の第２信号受信部７１１により受信された火災情報信号が感知器発報信号である場合（Ｓａ１の「感知器発報信号」）、情報生成部７１３は、信号データベース７２１を参照して、当該信号が示す発報が第１報であるか否かを判定する（Ｓａ２）。この判定の結果、第１報でない場合には（Ｓａ２のＮＯ）、ステップＳａ４が実行される。一方、第１報である場合には（Ｓａ２のＹＥＳ）、表示装置６に感知器発報画面を表示させるための処理が実行される（Ｓａ３）。図８は、この処理の一例を示すフローチャートである。
【００３７】
まず、情報生成部７１３は、記憶部７２から感知器発報画面情報を取得する（Ｓａ３１）。画面情報が取得されると、表示先特定部７１２は、信号データベース７２１と連動データベース７２３とを参照して、感知器発報画面を表示させる表示装置６を特定する（Ｓａ３２）。表示装置６が特定されると、表示順序特定部７１４は、特定された表示装置６について、表示装置データベース７２２を参照して表示順序を特定する（Ｓａ３３）。表示順序が特定されると、表示制御部７１５は、特定された表示順序を示す表示順序情報とステップＳａ３１で取得された感知器発報画面情報とを含む表示指示を、ステップＳａ３２で特定された表示装置６に対して送信する（Ｓａ３４）。表示指示の送信後、ステップＳａ３２で複数の表示装置６が特定されて、それらすべての表示装置６に対して表示指示が送信されていない場合には（Ｓａ３５のＮＯ）、表示指示が送信されていない別の表示装置６についてステップＳａ３３及びＳａ３４が実行される。一方、ステップＳａ３２で特定されたすべての表示装置６に対して表示指示が送信された場合には（Ｓａ３５のＹＥＳ）、本表示制御動作は終了する。
【００３８】
表示制御サーバ７により送信された表示指示が表示装置６の表示指示受信部６１１により受信されると、当該装置の表示制御部６１２は、当該表示指示に従って表示部６３の表示を非防災情報から感知器発報画面に切り替える（感知器発報地図画面が別に設けられる場合は、感知器発報画面と感知器発報地図画面を交互に切り替えて表示していく）。図９（ａ）は、感知器発報画面の一例を示す図である。当該画面は、日本語で表現された感知器発報画面である。
【００３９】
上記のステップＳａ１の判定において、表示制御サーバ７により受信された火災情報信号が火災確定信号である場合には（Ｓａ１の「火災確定信号」）、表示装置６に火災画面を表示させるための処理が実行される（Ｓａ４）。図１０は、この処理の一例を示すフローチャートである。
【００４０】
まず、表示先特定部７１２は、表示装置データベース７２２を参照して、火災画面を表示させる表示装置６を特定する（Ｓａ４１）。表示装置６が特定されると、特定された表示装置６について、表示順序特定部７１４は表示装置データベース７２２を参照して表示順序を特定する（Ｓａ４２）。表示順序が特定されると、情報生成部７１３は、ステップＳａ４１で特定された表示装置６について、信号データベース７２１と表示装置データベース７２２とを参照して火災画面情報を生成する（Ｓａ４３）。画面情報が生成されると、表示制御部７１５は、生成された火災画面情報とステップＳａ４２で特定された表示順序を示す表示順序情報とを含む表示指示を表示装置６に対して送信する（Ｓａ４４）。表示指示の送信後、ステップＳａ４１で複数の表示装置６が特定されて、それらすべての表示装置６に対して表示指示が送信されていない場合には（Ｓａ４５のＮＯ）、表示指示が送信されていない別の表示装置６についてステップＳａ４２乃至Ｓａ４４が実行される。一方、すべての表示装置６に対して表示指示が送信された場合には（Ｓａ４５のＹＥＳ）、本表示制御動作は終了する。
【００４１】
表示制御サーバ７により送信された表示指示が表示装置６の表示指示受信部６１１により受信されると、当該装置の表示制御部６１２は、当該表示指示に従って表示部６３の表示を非防災情報又は感知器発報画面から火災画面に切り替える（火災確定の通知のみを火災画面とする場合は、火災画面と火災地図画面とを交互に切り替えて表示していく）。図９（ｂ）は、火災画面の一例を示す図である。当該画面は特に、表示制御サーバ７が火災確定信号を受信したときに表示装置６に表示される火災画面の一例である。当該画面は、日本語で表現された火災画面である。当該画面には、避難口と、作動した火災感知器４の設置場所（すなわち火災発生場所）と、表示装置６の設置場所（すなわち閲覧者の現在位置）が地図表示されている。図９（ｃ）は、火災画面の別の例を示す図である。当該画面は特に、表示制御サーバ７が火災確定信号を受信した後にさらに感知器発報信号を受信したときに表示装置６に表示される火災画面の一例である。当該画面は、日本語で表現された火災画面である。当該画面は図９（ｂ）に例示される画面と比較して、作動した火災感知器４の設置場所（すなわち火災発生場所）が増加している。
【００４２】
上記のステップＳａ１の判定において、表示制御サーバ７により受信された火災情報信号が非火災信号である場合には（Ｓａ１の「非火災信号」）、表示装置６に非火災画面を表示させるための処理が実行される（Ｓａ５）。図１１は、この処理の一例を示すフローチャートである。
【００４３】
まず、情報生成部７１３は、記憶部７２から非火災画面情報を取得する（Ｓａ５１）。画面情報が取得されると、表示先特定部７１２は、信号データベース７２１と連動データベース７２３とを参照して、非火災画面を表示させる表示装置６を特定する（Ｓａ５２）。表示装置６が特定されると、表示順序特定部７１４は、特定された表示装置６について、表示装置データベース７２２を参照して表示順序を特定する（Ｓａ５３）。表示順序が特定されると、表示制御部７１５は、特定された表示順序を示す表示順序情報とステップＳａ５１で取得された非火災画面情報とを含む表示指示を、表示順序が特定された表示装置６に対して送信する（Ｓａ５４）。表示指示の送信後、ステップＳａ５２で複数の表示装置６が特定されて、それらすべての表示装置６に対して表示指示が送信されていない場合には（Ｓａ５５のＮＯ）、表示指示が送信されていない別の表示装置６についてステップＳａ５３及びＳａ５４が実行される。一方、すべての表示装置６に対して表示指示が送信された場合には（Ｓａ５５のＹＥＳ）、本表示制御動作は終了する。
【００４４】
表示制御サーバ７により送信された表示指示が表示装置６の表示指示受信部６１１により受信されると、当該装置の表示制御部６１２は、当該表示指示に従って表示部６３の表示を非防災情報又は感知器発報画面から非火災画面に切り替える（非火災地図画面が別に設けられる場合は、非火災画面と非火災地図画面を交互に切り替えて表示していく）。図９（ｄ）は、非火災画面の一例を示す図である。当該画面は、日本語で表現された非火災画面である。
【００４５】
このように、感知器発報画面、火災画面及び非火災画面は、火災画面にのみ地図を表示したが、全てに地図を含めて表示してもよく、デジタルサイネージでは画面を順次切り替えて表示できるので、各画面を各通知画面と地図画面を別の画面として用意して、切り替えて表示するように制御してもよい。また、表示装置６の選択については、該当する場所を選択せず、全ての表示装置６に各画面を表示させるようにしてもよい。また、全ての表示装置６を対象に火災画面等に切り替える場合、施設内にいる多数の人が一斉に避難を開始すると、避難口が混み合って危険が生じたり、パニックを起こしたりするおそれがあるので、各表示装置６の画面を切り替えるタイミングとして、火災の場所を中心として、その中心に近い表示装置６から順に切り替えるように、表示制御部７１５が制御してもよい。また、火災を検出した火災感知器４の数に合わせて、火災場所を中心として、近い順に火災画面等に切り替える表示装置６の数を増やしていくようにしてもよい。また、火災受信機５は、１つの火災感知器４からのみ火災感知信号を受信した状態で、別の火災感知器４から２報目の火災感知信号を受信すると、火災の発生を判定して火災確定信号も表示制御サーバ７に送信するが、２報目の火災感知信号の受信で火災確定信号を表示制御サーバ７に送信しなくてもよい。本実施形態において火災受信機５は、２報目の火災感知信号の受信で２報目の火災感知信号に加えて火災確定信号を送信し、表示制御サーバ７で２報目の火災感知信号または火災確定信号のいずれかに基づき火災画面表示制御を行うように二重かしているが、２報目の火災感知信号のみであっても火災画面表示制御を行うことができる。
【００４６】
以上説明した防災システム１によれば、表示制御サーバ７が火災受信機５から火災情報信号を受信するごとに、表示装置６に表示させる防災情報を切り替えることができる。言い換えると、火災の拡大に合わせて、表示装置６に表示させる防災情報を切り替えることができる。また、感知器発報時には、作動した火災感知器４に対応する表示装置６のみに防災情報を表示させる一方で、火災確定後にはすべての表示装置６に防災情報を表示させることができる。言い換えると、火災の拡大に合わせて、防災情報を表示させる表示装置６の数を増加させることができる。また、隣接または近接する表示装置６において各種言語の防災情報が異なる順序で表示されるため、表示装置６の閲覧者にとっては自身が理解できる防災情報が表示されるまで待たされる時間が短縮される。
【００４７】
２．第２実施形態
第１実施形態に係る防災システム１では表示制御サーバ７により火災情報信号が受信されるごとに表示装置６の表示が切り替えられているが、表示制御サーバ７により一度火災情報信号が受信された後は、所定時間の経過ごとに表示装置６の表示を切り替えるようにしてもよい。また、表示を切り替えるまでの所定時間を延長したり、経過時間の計時を一時停止したりしてもよい。例えば、１つの火災感知器４が火災を検出したときに、表示装置６に感知器発報画面を表示させ、別の火災感知器４が火災を検出しなくとも所定時間経過したときに火災が発生した（火災確定）と判定し、火災画面を表示させて施設内の人に避難させることができる。そして、火災を検出した場所に向かい火災を確認する場合に時間がかかるときなどに所定時間を延長したり、経過時間の計時を一時停止したりすることができる。また、火災確定から所定時間後に火災画面を表示させる表示装置６の数を増やしたり、より強く避難を促す表示に切り替えたりすることができる。以下、このような動作を実現する防災システム１Ａについて説明する。
【００４８】
２−１．防災システム１Ａの構成
【００４９】
防災システム１Ａの構成は、火災受信機５に代えて火災受信機５Ａを備え、表示制御サーバ７に代えて表示制御サーバ７Ａを備える点を除いては防災システム１と同様である。したがって、以下の説明では、火災受信機５Ａと表示制御サーバ７Ａの構成についてのみ説明する。
【００５０】
＜火災受信機５Ａの構成＞
図１２は、火災受信機５Ａの構成の一例を示す図である。同図に示すように火災受信機５Ａは、制御部５１が記憶部５２に記憶されるプログラムを実行することにより、信号送信部５１３に代えて信号送信部５１３Ａという機能を実現し、遅延指示受付部５１４と停止指示受付部５１５と再開指示受付部５１６いう機能をさらに実現する点において、第１実施形態に係る火災受信機５と相違している。
【００５１】
遅延指示受付部５１４は、操作入力部５４を用いて表示装置６の表示の切り替えの遅延が指示されると、当該遅延指示を受け付ける。遅延の指示がなされる際には、遅延時間が指定される。
【００５２】
停止指示受付部５１５は、操作入力部５４を用いて表示装置６の表示の切り替えの停止が指示されると、当該停止指示を受け付ける。
【００５３】
再開指示受付部５１６は、表示装置６の表示の切り替えが停止された後に、操作入力部５４を用いて表示装置６の表示の切り替えの再開が指示されると、当該再開指示を受け付ける。
【００５４】
信号送信部５１３Ａは、火災情報信号に加えて、遅延指示受付部５１４により受け付けられた遅延信号と、停止指示受付部５１５により受け付けられた停止信号と、再開指示受付部５１６により受け付けられた再開信号とをさらに表示制御サーバ７に送信する点において、第１実施形態に係る信号送信部５１３と相違している。
【００５５】
＜表示制御サーバ７Ａの構成＞
図１３は、表示制御サーバ７Ａの構成の一例を示す図である。同図に示すように表示制御サーバ７Ａは、信号データベース７２１に代えて信号データベース７２１Ａを記憶し、制御部７１が記憶部７２に記憶されるプログラムを実行することにより、第２信号受信部７１１、表示先特定部７１２及び情報生成部７１３に代えて、第２信号受信部７１１Ａ、表示先特定部７１２Ａ及び情報生成部７１３Ａという機能を実現し、計時部７１６と、時間経過判定部７１７と、信号監視部７１８と、所定時間変更部７１９という機能をさらに実現する点において、第１実施形態に係る表示制御サーバ７と相違している。
【００５６】
信号データベース７２１Ａは、火災受信機５Ａから受信される火災情報信号に加えて、同機から受信される遅延信号、停止信号及び再開信号について、信号の受信日時と、信号の種類と、遅延時間とを対応付けて格納する点において、第１実施形態に係る信号データベース７２１と相違している。
【００５７】
第２信号受信部７１１Ａは、火災受信機５Ａの信号送信部５１３Ａにより送信される火災情報信号に加えて、同部により送信される遅延信号、停止信号及び再開信号を受信して、受信した信号の情報を受信日時と対応付けて信号データベース７２１Ａに登録する点において、第１実施形態に係る第２信号受信部７１１と相違している。
【００５８】
表示先特定部７１２Ａは、第２信号受信部７１１Ａにより火災情報信号が受信されるか、又は火災情報信号が受信されてから所定時間が経過すると、防災情報を表示すべき表示装置６を特定する。具体的には、感知器発報信号又は非火災信号が受信されると、信号データベース７２１Ａと連動データベース７２３とを参照して表示装置６を特定する。より具体的には、信号データベース７２１Ａを参照して、それまでに作動した火災感知器４を特定し、次に連動データベース７２３を参照して、特定した火災感知器４に対応付けられている表示装置６を特定する。一方、火災確定信号が受信されるか、感知器発報信号が受信されてから第１所定時間（例えば３分）が経過するか、第１所定時間が経過してからさらに第２所定時間（例えば１０分）が経過するか、又は火災確定信号が受信されてから第２所定時間が経過すると、表示装置データベース７２２を参照してすべての表示装置６を特定する。ここで、第１所定時間及び第２所定時間は、記憶部７２に予め記憶される。すなわち、表示先特定部７１２により特定される表示装置６の数は、第２信号受信部７１１Ａにより受信された火災情報信号の数、又は第２信号受信部７１１Ａにより火災情報信号が受信されてから経過した時間に応じて増加する。
【００５９】
情報生成部７１３Ａは、第２信号受信部７１１Ａにより火災情報信号が受信されるか、又は火災情報信号が受信されてから所定時間が経過すると、受信された火災情報信号か、又は火災情報信号が受信されてから経過した時間に対応する防災情報を取得又は生成する。火災情報信号が受信されてから所定時間が経過して防災情報が生成された場合には、表示制御部７１５は、第２信号受信部７１１Ａにより火災情報信号が受信されてから所定時間が経過した後に、当該経過時間に対応する防災情報を表示装置６に表示させる。情報生成部７１３Ａは、具体的には、感知器発報信号が受信されると、感知器発報画面情報を記憶部７２から取得する。火災確定信号が受信されるか、感知器発報信号が受信されてから第１所定時間が経過するか、第１所定時間が経過してからさらに第２所定時間が経過するか、又は火災確定信号が受信されてから第２所定時間が経過すると、火災画面情報を記憶部７２から取得する。そして、信号データベース７２１Ａを参照して、それまでに作動した火災感知器４の場所（すなわち火災発生場所）を、火災画面に示される施設の地図上にプロットする。また、表示装置データベース７２２を参照して、表示先特定部７１２Ａにより特定された表示装置６の設置場所（すなわち閲覧者の現在位置）を、火災画面に示される施設の地図上にプロットして、表示装置６に送信する火災画面情報を生成する。非火災信号が受信された場合には、非火災画面情報を記憶部７２から取得する。
【００６０】
計時部７１６は、第２信号受信部７１１Ａにより火災情報信号が受信されると、計時を開始する。計時開始後、第１所定時間又は第２所定時間が経過するか若しくは火災確定信号が受信されると、計時をリセットして再開する。計時開始後、第２信号受信部７１１Ａにより停止信号が受信されると、計時を停止し、続いて再開信号が受信されると、計時を途中から再開する。
【００６１】
時間経過判定部７１７は、表示装置６に防災画面を表示させるための処理が実行されると、計時部７１６により計時された経過時間と、記憶部７２から制御部７１のＲＡＭに読み出された所定時間とを参照して、所定時間が経過したか否かを判定する。具体的には、感知器発報画面を表示させるための処理が実行されると、第１所定時間が経過したか否かを判定し、火災画面を表示させるための処理が実行されると、第２所定時間が経過したか否かを判定する。
【００６２】
信号監視部７１８は、表示装置６に感知器発報画面又は火災画面を表示させるための処理が実行されると、信号データベース７２１Ａを参照して、火災情報信号、遅延信号、停止信号又は再開信号が新たに受信されているか否かを判定する。遅延信号が新たに受信されると、表示制御部７１５は、当該遅延信号に応じて表示装置６の表示の切り替えを遅延させることになる。停止信号が新たに受信されると、表示制御部７１５は、当該停止信号に応じて表示装置６の表示の切り替えを停止させることになる。
【００６３】
所定時間変更部７１９は、第２信号受信部７１１Ａにより遅延信号が受信されると、当該遅延信号により示される遅延時間を、記憶部７２から制御部７１のＲＡＭに読み出された所定時間に加算する。具体的には、第１所定時間の経過の判定中に遅延信号が受信されると、当該遅延信号により示される遅延時間を第１所定時間に加算する。一方、第２所定時間の経過の判定中に遅延信号が受信されると、当該遅延信号により示される遅延時間を第２所定時間に加算する。
【００６４】
２−２．表示制御サーバ７Ａの動作
表示制御サーバ７Ａにより実行される表示制御動作について説明する。図１４は、表示制御動作の一例を示すフローチャートである。この表示制御動作は、表示制御サーバ７Ａが火災受信機５から火災情報信号（特に、感知器発報信号又は火災確定信号）を受信すると実行される。なお、当該動作の開始後、記憶部７２に記憶される第１所定時間と第２所定時間とは制御部７１のＲＡＭに読み出される。
【００６５】
表示制御サーバ７Ａにより火災情報信号が受信されると、計時部７１６は計時を開始する（Ｓｂ１）。その後、受信された火災情報信号が感知器発報信号である場合には（Ｓｂ２の「感知器発報信号」）、表示装置６に感知器発報画面を表示させるための処理が実行される（Ｓｂ３）。当該処理の手順は、図８に示すステップＳａ３１が情報生成部７１３Ａにより実行され、ステップＳａ３２が表示先特定部７１２Ａにより実行される点を除いては上記のステップＳａ３と同様であるため、その説明を省略する。感知器発報画面の一例は、図９（ａ）に示す通りである。
【００６６】
ステップＳｂ３の実行後、時間経過判定部７１７は、計時部７１６により計時された経過時間と、制御部７１のＲＡＭに記憶される第１所定時間とを参照して、第１所定時間が経過したか否かを判定する（Ｓｂ４）。この判定の結果、第１所定時間が経過した場合には（Ｓｂ４のＹＥＳ）、計時部７１６は計時をリセットしてから再開し（Ｓｂ５）、その後、ステップＳｂ１６が実行される。なお、その際、ＲＡＭに記憶される第１所定時間が、後述するステップＳｂ７により遅延時間が加算されたものであるときには、遅延時間が加算される前のものにリセットされる。一方、第１所定時間が経過していない場合には（Ｓｂ４のＮＯ）、信号監視部７１８は、信号データベース７２１Ａを参照して、遅延信号が新たに受信されているか否かを判定する（Ｓｂ６）。この判定の結果、遅延信号が新たに受信されていない場合には（Ｓｂ６のＮＯ）、ステップＳｂ７は省略されてステップＳｂ８が実行される。一方、この判定の結果、遅延信号が新たに受信されている場合には（Ｓｂ６のＹＥＳ）、所定時間変更部７１９は、当該遅延信号により示される遅延時間を、制御部７１のＲＡＭに記憶される第１所定時間に加算する（Ｓｂ７）。
【００６７】
ステップＳｂ７の実行後、信号監視部７１８は、信号データベース７２１Ａを参照して、停止信号が新たに受信されているか否かを判定する（Ｓｂ８）。この判定の結果、停止信号が新たに受信されていない場合には（Ｓｂ８のＮＯ）、ステップＳｂ９乃至Ｓｂ１１は省略されてステップＳｂ１２が実行される。一方、この判定の結果、停止信号が新たに受信されている場合には（Ｓｂ８のＹＥＳ）、計時部７１６は計時を停止する（Ｓｂ９）。その後、信号監視部７１８は、信号データベース７２１Ａを参照して、再開信号が新たに受信されているか否かを判定し（Ｓｂ１０）。再開信号が新たに受信されると（Ｓｂ１０のＹＥＳ）、計時部７１６は計時を途中から再開する（Ｓｂ１１）。
【００６８】
ステップＳｂ１１の実行後、信号監視部７１８は、信号データベース７２１Ａを参照して、火災確定信号が新たに受信されているか否かを判定する（Ｓｂ１２）。この判定の結果、火災確定信号が新たに受信されている場合には（Ｓｂ１２のＹＥＳ）、計時部７１６は計時をリセットしてから再開し（Ｓｂ１３）、その後、ステップＳｂ１６が実行される。一方、この判定の結果、火災確定信号が新たに受信されていない場合には（Ｓｂ１２のＮＯ）、信号監視部７１８は、信号データベース７２１Ａを参照して、非火災信号が新たに受信されているか否かを判定する（Ｓｂ１４）。この判定の結果、非火災信号が新たに受信されている場合には（Ｓｂ１４のＹＥＳ）、表示装置６に非火災画面を表示させるための処理が実行される（Ｓｂ１５）。当該処理の手順は、図１１のステップＳａ５１が情報生成部７１３Ａにより実行され、ステップＳａ５２が表示先特定部７１２Ａにより実行される点を除いては上記のステップＳａ５と同様であるため、その説明を省略する。非火災画面の一例は、図９（ｄ）に示す通りである。ステップＳｂ１５の実行後、本表示制御動作は終了する。一方、ステップＳｂ１４の判定の結果、非火災信号が新たに受信されていない場合には（Ｓｂ１４のＮＯ）、ステップＳｂ４が再び実行される。
【００６９】
上記のステップＳｂ２の判定において、表示制御サーバ７Ａにより受信された火災情報信号が火災確定信号である場合には（Ｓｂ２の「火災確定信号」）、表示装置６に火災画面を表示させるための処理が実行される（Ｓｂ１６）。当該処理の手順は、図１０のステップＳａ４１が表示先特定部７１２Ａにより実行され、ステップＳａ４３が情報生成部７１３Ａにより実行される点を除いては上記のステップＳａ４と同様であるため、その説明を省略する。火災画面の一例は、図９（ｂ）又は図９（ｃ）に示す通りである。
【００７０】
ステップＳｂ１６の実行後、時間経過判定部７１７は、計時部７１６により計時された経過時間と、制御部７１のＲＡＭに記憶される第２所定時間とを参照して、第２所定時間が経過したか否かを判定する（Ｓｂ１７）。この判定の結果、第２所定時間が経過した場合には（Ｓｂ１７のＹＥＳ）、計時部７１６は計時をリセットしてから再開し（Ｓｂ１８）、その後、ステップＳｂ１６が再び実行される。なお、その際、ＲＡＭに記憶される第２所定時間が、後述するステップＳｂ２０により遅延時間が加算されたものであるときには、遅延時間が加算される前のものにリセットされる。一方、第２所定時間が経過していない場合には（Ｓｂ１７のＮＯ）、信号監視部７１８は、信号データベース７２１Ａを参照して、遅延信号が新たに受信されているか否かを判定する（Ｓｂ１９）。この判定の結果、遅延信号が新たに受信されていない場合には（Ｓｂ１９のＮＯ）、ステップＳｂ２０は省略されてステップＳｂ２１が実行される。一方、この判定の結果、遅延信号が新たに受信されている場合には（Ｓｂ１９のＹＥＳ）、所定時間変更部７１９は、当該遅延信号により示される遅延時間を、制御部７１のＲＡＭに記憶される第２所定時間に加算する（Ｓｂ２０）。
【００７１】
ステップＳｂ２０の実行後、信号監視部７１８は、信号データベース７２１Ａを参照して、停止信号が新たに受信されているか否かを判定する（Ｓｂ２１）。この判定の結果、停止信号が新たに受信されていない場合には（Ｓｂ２１のＮＯ）、ステップＳｂ２２乃至Ｓｂ２４は省略されてステップＳｂ２５が実行される。一方、この判定の結果、停止信号が新たに受信されている場合には（Ｓｂ２１のＹＥＳ）、計時部７１６は計時を停止する（Ｓｂ２２）。その後、信号監視部７１８は、信号データベース７２１Ａを参照して、再開信号が新たに受信されているか否かを判定し（Ｓｂ２３）。再開信号が新たに受信されると（Ｓｂ２２のＹＥＳ）、計時部７１６は計時を途中から再開する（Ｓｂ２４）。
【００７２】
ステップＳｂ２４の実行後、表示制御サーバ７Ａの図示せぬ操作入力部を用いて動作終了指示がなされたか否かが判定され（Ｓｂ２５）、動作終了指示がなされていない場合には（Ｓｂ２５のＮＯ）、ステップＳｂ１７が再び実行され、動作終了指示がなされた場合には（Ｓｂ２５のＹＥＳ）、本表示制御動作は終了する。
【００７３】
なお、１回目のステップＳｂ１６の実行時に全ての表示装置１６を対象に火災画面に切り替えるのではなく、２回目、３回目とステップＳｂ１６の実行回数に合わせて火災場所を中心として、近い順に火災画面に切り替える表示装置６の数を増やすようにしてもよい。また、ステップＳｂ１６の実行回数に合わせて、より強く避難を促すメッセージの火災画面を表示するようにしてもよい。
【００７４】
以上説明した防災システム１Ａによれば、表示制御サーバ７Ａが火災受信機５Ａから火災情報信号を受信後、所定時間が経過するごとに、表示装置６に表示させる防災情報を切り替えることができる。言い換えると、火災の拡大に合わせて、表示装置６に表示させる防災情報を切り替えることができる。特に、表示制御サーバ７Ａが感知器発報信号を受信してから所定時間経過するまでに非火災信号を受信しなければ、表示装置６に火災画面を表示して施設内の人に避難を促すことができ、より安全である。また、感知器発報後の現場確認に時間がかかる等の事情によっては、表示装置６の表示の切り替えを遅延又は停止することができる。また、感知器発報時には、作動した火災感知器４に対応する表示装置６のみに防災情報を表示させる一方で、火災確定後にはすべての表示装置６に防災情報を表示させることができる。言い換えると、火災の拡大に合わせて、防災情報を表示させる表示装置６の数を増加させることができる。また、隣接する表示装置６において各種言語の防災情報が異なる順序で表示されるため、表示装置６の閲覧者にとっては自身が理解できる防災情報が表示されるまで待たされる時間が短縮される。
【００７５】
３．変形例
上記の第１及び第２実施形態は下記のように変形してもよい。下記の変形例のうち２以上の変形例を互いに組み合わせてもよい。
【００７６】
３−１．変形例１
防火対象物である施設にスプリンクラが設置されている場合には、スプリンクラを火災感知手段として利用してもよい。その場合、火災受信機５又は５Ａの第１信号受信部５１１は、作動したスプリンクラの識別情報であるアドレスを含む火災感知信号を受信し、図示せぬスプリンクラデータベースを参照して、当該アドレスに対応する当該スプリンクラの設置場所を特定する。信号送信部５１３又は５１３Ａは、第１信号受信部５１１により火災感知信号が受信されると、スプリンクラが作動したことを通知するスプリンクラ作動信号を、感知器発報信号の代わりに表示制御サーバ７に送信する。このスプリンクラ作動信号には、作動したスプリンクラのアドレスと設置場所情報とが含まれる。
【００７７】
３−２．変形例２
表示制御サーバ７又は７Ａに記憶される防災情報と表示装置６の設置場所情報及び表示順序情報とは、各表示装置６に予め記憶されていてもよい。本変形によれば、表示制御サーバ７又は７Ａは、信号データベース７２１又は７２１Ａを参照して特定される作動した火災感知器４の設置場所（すなわち火災発生場所）さえ表示装置６に通知すれば、上記の第１又は第２実施形態と同様に、表示装置６に防災画面を表示させることができる。
【００７８】
３−３．変形例３
上記の第２実施形態に係る遅延指示受付部５１４と停止指示受付部５１５と再開指示受付部５１６は、火災受信機５に代えて又は加えて、表示制御サーバ７Ａに設けられてもよい。その場合、表示制御サーバ７Ａに設けられた当該各部は、当該サーバに設けられた図示せぬ操作入力部を用いて行われる指示を受け付ける。また、表示制御サーバ７Ａから有線又は無線により延設され施設内の各所に設けられてもよい。
【００７９】
３−４．変形例４
上記の第１実施形態に係る表示装置６は、通信回線８に代えて、火災受信機５から延びる信号線に接続されて、火災受信機５から火災情報信号を受信して防災情報を表示するようにしてもよい。図１５は、このような動作を実現する表示装置６Ａの構成の一例を示す図である。同図に示すように表示装置６Ａは、記憶部６２及び通信部６４に代えて記憶部６２Ａ及び第２信号受信部６１３を備え、制御部６１が記憶部６２Ａに記憶されるプログラムを実行することにより、第２信号受信部６１３、情報生成部６１４、表示順序特定部６１５及び表示制御部６１２Ａという機能を実現する点において、第１実施形態に係る表示装置６と相違している。なお、表示装置６Ａは、火災受信機５から延びる信号線に図示せぬ中継器を介して接続し、火災受信機５から火災情報信号を中継器で受信して、その火災情報信号を中継器から表示装置６Ａに入力して防災情報を表示するようにしてもよい。また、信号線は火災感知器４が接続されるものと共通でもよいし、別に配線したものでもよい。
【００８０】
記憶部６２Ａは、第１実施形態に係る表示制御サーバ７の記憶部７２に記憶される防災情報と信号データベース７２１と自装置の設置場所情報と表示順序情報とをさらに記憶する点において、第１実施形態に係る記憶部６２と相違している。
【００８１】
第２信号受信部６１３は、火災受信機５の信号送信部５１３により送信された火災情報信号を受信する。具体的には、感知器発報信号、火災確定信号又は非火災信号を受信する。火災情報信号を受信すると、当該信号の情報を受信日時と対応付けて信号データベース７２１に登録する。
【００８２】
情報生成部６１４は、第２信号受信部６１３により火災情報信号が受信されると、受信された火災情報信号に対応する防災情報を取得又は生成する。具体的には、第１報の感知器発報を示す感知器発報信号が受信されると、感知器発報画面情報を記憶部６２Ａから取得する。第２報以降の感知器発報を示す感知器発報信号か又は火災確定信号が受信されると、火災画面情報を記憶部６２Ａから取得する。そして、信号データベース７２１を参照して、それまでに作動した火災感知器４の場所（すなわち火災発生場所）を、火災画面に示される施設の地図上にプロットする。また、自装置の設置場所（すなわち閲覧者の現在位置）を、火災画面に示される施設の地図上にプロットして、火災画面情報を生成する。非火災信号が受信された場合には、非火災画面情報を記憶部６２Ａから取得する。
【００８３】
表示順序特定部６１５は、記憶部６２Ａに記憶される表示順序情報を参照して表示順序を特定する。
【００８４】
表示制御部６１２Ａは、情報生成部６１４により防災情報が取得又は生成されると、当該防災情報を表示部６３に表示させる。その際、表示制御部６１２Ａは、防災情報を構成する各々異なる言語で表現された複数の防災情報を、表示順序特定部６１５により特定された表示順序で表示させる。
【００８５】
図１６は、表示装置６Ａにより実行される表示制御動作の一例を示すフローチャートである。この表示制御動作は、表示装置６Ａが火災受信機５から火災情報信号を受信すると実行される。
【００８６】
表示装置６Ａにより受信された火災情報信号が感知器発報信号である場合（Ｓｃ１の「感知器発報信号」）、第２信号受信部６１３は、信号データベース７２１を参照して、当該信号が示す発報が第１報であるか否かを判定する（Ｓｃ２）。この判定の結果、第１報でない場合には（Ｓｃ２のＮＯ）、ステップＳｃ４が実行される。一方、第１報である場合には（Ｓｃ２のＹＥＳ）、表示部６３に感知器発報画面を表示させるための処理が実行される（Ｓｃ３）。図１７は、この処理の一例を示すフローチャートである。
【００８７】
まず、情報生成部６１４は、記憶部６２Ａから感知器発報画面情報を取得する（Ｓｃ３１）。画面情報が取得されると、表示順序特定部６１５は、記憶部６２Ａに記憶される表示順序情報を参照して表示順序を取得する（Ｓｃ３２）。表示順序が特定されると、ステップＳｃ３１で取得された感知器発報画面を構成する各々異なる言語で表現された複数の画面を、ステップＳｃ３２で特定された表示順序で表示部６３に表示させる（Ｓｃ３３）。感知器発報画面の一例は、図９（ａ）に示す通りである。感知器発報画面が表示されると、本表示制御動作は終了する。
【００８８】
上記のステップＳｃ１の判定において、表示装置６Ａにより受信された火災情報信号が火災確定信号である場合には（Ｓｃ１の「火災確定信号」）、表示部６３に火災画面を表示させるための処理が実行される（Ｓｃ４）。図１８は、この処理の一例を示すフローチャートである。
【００８９】
まず、情報生成部６１４は、信号データベース７２１と記憶部６２Ａに記憶される自装置の設置場所情報とを参照して火災画面情報を生成する（Ｓｃ４１）。画面情報が生成されると、表示順序特定部６１５は、記憶部６２Ａに記憶される表示順序情報を参照して表示順序を取得する（Ｓｃ４２）。表示順序が特定されると、ステップＳｃ４１で生成された火災画面を構成する各々異なる言語で表現された複数の画面を、ステップＳｃ４２で特定された表示順序で表示部６３に表示させる（Ｓｃ４３）。火災画面の一例は、図９（ｂ）又は図９（ｃ）に示す通りである。火災画面が表示されると、本表示制御動作は終了する。
【００９０】
上記のステップＳｃ１の判定において、表示装置６Ａにより受信された火災情報信号が非火災信号である場合には（Ｓｃ１の「非火災信号」）、表示部６３に非火災画面を表示させるための処理が実行される（Ｓｃ５）。図１９は、この処理の一例を示すフローチャートである。
【００９１】
まず、情報生成部６１４は、記憶部６２Ａから非火災画面情報を取得する（Ｓｃ５１）。画面情報が取得されると、表示順序特定部６１５は、記憶部６２Ａに記憶される表示順序情報を参照して表示順序を取得する（Ｓｃ５２）。表示順序が特定されると、ステップＳｃ５１で取得された非火災画面を構成する各々異なる言語で表現された複数の画面を、ステップＳｃ５２で特定された表示順序で表示部６３に表示させる（Ｓｃ５３）。非火災画面の一例は、図９（ｄ）に示す通りである。非火災画面が表示されると、本表示制御動作は終了する。
【００９２】
以上説明した表示装置６Ａによれば、火災受信機５から火災情報信号を受信するごとに、表示部６３に表示させる防災情報を切り替えることができる。言い換えると、火災の拡大に合わせて、表示部６３に表示させる防災情報を切り替えることができる。この変形例では、表示制御サーバ７を介さず、表示装置６Ａが防災情報を表示することができ、通信回線８がダウンしていても機能するとともに、各表示装置６Ａに蓄電池等を備えて電源供給遮断時の対策をしておくことにより、地震等の震災により商用電源がダウンしても表示装置６Ａに必要な表示を行わせることができる。ここで、一般的に火災受信機５は、蓄電池が接続されていて、電源ダウン後も所用の動作が可能となっている。なお、火災受信機５に情報生成部６１４や表示順序特定部６１５の機能のいずれか又はその両方を設け火災受信機５からの制御により表示を切り替えるようにしてもよい。
【００９３】
３−５．変形例５
上記の第２実施形態に係る表示装置６は、通信回線８に代えて、火災受信機５Ａから延びる信号線に接続されて、火災受信機５Ａから火災情報信号を受信して防災情報を表示するようにしてもよい。図２０は、このような動作を実現する表示装置６Ｂの構成の一例を示す図である。同図に示すように表示装置６Ｂは、信号データベース７２１に代えて表示制御サーバ７Ａに記憶される信号データベース７２１Ａを記憶し、制御部６１が記憶部６２Ａに記憶されるプログラムを実行することにより、第２信号受信部６１３及び情報生成部６１４に代えて、第２信号受信部６１３Ａ及び情報生成部６１４Ａという機能を実現し、計時部６１６と、時間経過判定部６１７と、信号監視部６１８と、所定時間変更部６１９という機能をさらに実現する点において、変形例４に係る表示装置６Ａと相違している。なお、変形例４と同様に信号線に中継器を介して表示装置６Ａを接続してもよいし、信号線は火災感知器４が接続されるものと共通でも別配線でもよい。
【００９４】
第２信号受信部６１３Ａは、火災受信機５Ａの信号送信部５１３Ａにより送信される火災情報信号に加えて、同部により送信される遅延信号、停止信号及び再開信号を受信して、受信した信号の情報を受信日時と対応付けて信号データベース７２１Ａに登録する点において、変形例４に係る第２信号受信部６１３と相違している。
【００９５】
情報生成部６１４Ａは、第２信号受信部６１３Ａにより火災情報信号が受信されるか、又は火災情報信号が受信されてから所定時間が経過すると、受信された火災情報信号か、又は火災情報信号が受信されてから経過した時間に対応する防災情報を取得又は生成する。具体的には、感知器発報信号が受信されると、感知器発報画面情報を記憶部６２Ａから取得する。火災確定信号が受信されるか、感知器発報信号が受信されてから第１所定時間が経過するか、第１所定時間が経過してからさらに第２所定時間が経過するか、又は火災確定信号が受信されてから第２所定時間が経過すると、火災画面情報を記憶部６２Ａから取得する。そして、信号データベース７２１Ａを参照して、それまでに作動した火災感知器４の場所（すなわち火災発生場所）を、火災画面に示される施設の地図上にプロットする。また、自装置の設置場所（すなわち閲覧者の現在位置）を、火災画面に示される施設の地図上にプロットして、火災画面情報を生成する。非火災信号が受信された場合には、非火災画面情報を記憶部６２Ａから取得する。
【００９６】
計時部６１６は、第２信号受信部６１３Ａにより火災情報信号が受信されると、計時を開始する。計時開始後、第１所定時間又は第２所定時間が経過するか若しくは火災確定信号が受信されると、計時をリセットして再開する。計時開始後、第２信号受信部６１３Ａにより停止信号が受信されると、計時を停止し、続いて再開信号が受信されると、計時を途中から再開する。
【００９７】
時間経過判定部６１７は、表示部６３に防災画面を表示させるための処理が実行されると、計時部６１６により計時された経過時間と、記憶部６２Ａから制御部６１のＲＡＭに読み出された所定時間とを参照して、所定時間が経過したか否かを判定する。具体的には、感知器発報画面を表示させるための処理が実行されると、第１所定時間が経過したか否かを判定し、火災画面を表示させるための処理が実行されると、第２所定時間が経過したか否かを判定する。
【００９８】
信号監視部６１８は、表示部６３に感知器発報画面又は火災画面を表示させるための処理が実行されると、信号データベース７２１Ａを参照して、火災情報信号、遅延信号、停止信号又は再開信号が新たに受信されているか否かを判定する。
【００９９】
所定時間変更部６１９は、第２信号受信部６１３Ａにより遅延信号が受信されると、当該遅延信号により示される遅延時間を、記憶部６２Ａから制御部６１のＲＡＭに読み出された所定時間に加算する。具体的には、第１所定時間の経過の判定中に遅延信号が受信されると、当該遅延信号により示される遅延時間を第１所定時間に加算する。一方、第２所定時間の経過の判定中に遅延信号が受信されると、当該遅延信号により示される遅延時間を第２所定時間に加算する。
【０１００】
図２１は、表示装置６Ｂにより実行される表示制御動作の一例を示すフローチャートである。この表示制御動作は、表示装置６Ｂが火災受信機５Ａから火災情報信号（特に、感知器発報信号又は火災確定信号）を受信すると実行される。なお、当該動作の開始後、記憶部６２Ａに記憶される第１所定時間と第２所定時間とは制御部６１のＲＡＭに読み出される。
【０１０１】
表示装置６Ｂにより火災情報信号が受信されると、計時部６１６は計時を開始する（Ｓｄ１）。その後、受信された火災情報信号が感知器発報信号である場合には（Ｓｄ２の「感知器発報信号」）、表示部６３に感知器発報画面を表示させるための処理が実行される（Ｓｄ３）。当該処理の手順は、ステップＳｃ３１が情報生成部６１４Ａにより実行される点を除いては上記のステップＳｃ３と同様であるため、その説明を省略する。
【０１０２】
ステップＳｄ３の実行後、時間経過判定部６１７は、計時部６１６により計時された経過時間と、制御部６１のＲＡＭに記憶される第１所定時間とを参照して、第１所定時間が経過したか否かを判定する（Ｓｄ４）。この判定の結果、第１所定時間が経過した場合には（Ｓｄ４のＹＥＳ）、計時部６１６は計時をリセットしてから再開し（Ｓｄ５）、その後、ステップＳｄ１６が実行される。なお、その際、ＲＡＭに記憶される第１所定時間が、後述するステップＳｄ７により遅延時間が加算されたものであるときには、遅延時間が加算される前のものにリセットされる。一方、第１所定時間が経過していない場合には（Ｓｄ４のＮＯ）、信号監視部６１８は、信号データベース７２１Ａを参照して、遅延信号が新たに受信されているか否かを判定する（Ｓｄ６）。この判定の結果、遅延信号が新たに受信されていない場合には（Ｓｄ６のＮＯ）、ステップＳｄ７は省略されてステップＳｄ８が実行される。一方、この判定の結果、遅延信号が新たに受信されている場合には（Ｓｄ６のＹＥＳ）、所定時間変更部６１９は、当該遅延信号により示される遅延時間を、制御部６１のＲＡＭに記憶される第１所定時間に加算する（Ｓｄ７）。
【０１０３】
ステップＳｄ７の実行後、信号監視部６１８は、信号データベース７２１Ａを参照して、停止信号が新たに受信されているか否かを判定する（Ｓｄ８）。この判定の結果、停止信号が新たに受信されていない場合には（Ｓｄ８のＮＯ）、ステップＳｄ９乃至Ｓｄ１１は省略されてステップＳｄ１２が実行される。一方、この判定の結果、停止信号が新たに受信されている場合には（Ｓｄ８のＹＥＳ）、計時部６１６は計時を停止する（Ｓｄ９）。その後、信号監視部６１８は、信号データベース７２１Ａを参照して、再開信号が新たに受信されているか否かを判定し（Ｓｄ１０）。再開信号が新たに受信されると（Ｓｄ１０のＹＥＳ）、計時部６１６は計時を途中から再開する（Ｓｄ１１）。
【０１０４】
ステップＳｄ１１の実行後、信号監視部６１８は、信号データベース７２１Ａを参照して、火災確定信号が新たに受信されているか否かを判定する（Ｓｄ１２）。この判定の結果、火災確定信号が新たに受信されている場合には（Ｓｄ１２のＹＥＳ）、計時部６１６は計時をリセットしてから再開し（Ｓｄ１３）、その後、ステップＳｄ１６が実行される。一方、この判定の結果、火災確定信号が新たに受信されていない場合には（Ｓｄ１２のＮＯ）、信号監視部６１８は、信号データベース７２１Ａを参照して、非火災信号が新たに受信されているか否かを判定する（Ｓｄ１４）。この判定の結果、非火災信号が新たに受信されている場合には（Ｓｄ１４のＹＥＳ）、表示部６３に非火災画面を表示させるための処理が実行される（Ｓｄ１５）。当該処理の手順は、図１９のステップＳｃ５１が情報生成部６１４Ａにより実行される点を除いては上記のステップＳｃ５と同様であるため、その説明を省略する。ステップＳｄ１５の実行後、本表示制御動作は終了する。一方、この判定の結果、非火災信号が新たに受信されていない場合には（Ｓｄ１４のＮＯ）、ステップＳｄ４が再び実行される。
【０１０５】
上記のステップＳｄ２の判定において、表示装置６Ｂにより受信された火災情報信号が火災確定信号である場合には（Ｓｄ２の「火災確定信号」）、表示部６３に火災画面を表示させるための処理が実行される（Ｓｄ１６）。当該処理の手順は、図１８のステップＳｃ４１が情報生成部６１４Ａにより実行される点を除いては上記のステップＳｃ４と同様であるため、その説明を省略する。
【０１０６】
ステップＳｄ１６の実行後、時間経過判定部６１７は、計時部６１６により計時された経過時間と、制御部６１のＲＡＭに記憶される第２所定時間とを参照して、第２所定時間が経過したか否かを判定する（Ｓｄ１７）。この判定の結果、第２所定時間が経過した場合には（Ｓｄ１７のＹＥＳ）、計時部６１６は計時をリセットしてから再開し（Ｓｄ１８）、その後、ステップＳｄ１６が再び実行される。なお、その際、ＲＡＭに記憶される第２所定時間が、後述するステップＳｄ２０により遅延時間が加算されたものであるときには、遅延時間が加算される前のものにリセットされる。一方、第２所定時間が経過していない場合には（Ｓｄ１７のＮＯ）、信号監視部６１８は、信号データベース７２１Ａを参照して、遅延信号が新たに受信されているか否かを判定する（Ｓｄ１９）。この判定の結果、遅延信号が新たに受信されていない場合には（Ｓｄ１９のＮＯ）、ステップＳｄ２０は省略されてステップＳｄ２１が実行される。一方、この判定の結果、遅延信号が新たに受信されている場合には（Ｓｄ１９のＹＥＳ）、所定時間変更部６１９は、当該遅延信号により示される遅延時間を、制御部６１のＲＡＭに記憶される第２所定時間に加算する（Ｓｄ２０）。
【０１０７】
ステップＳｄ２０の実行後、信号監視部６１８は、信号データベース７２１Ａを参照して、停止信号が新たに受信されているか否かを判定する（Ｓｄ２１）。この判定の結果、停止信号が新たに受信されていない場合には（Ｓｄ２１のＮＯ）、ステップＳｄ２２乃至Ｓｄ２４は省略されてステップＳｄ２５が実行される。一方、この判定の結果、停止信号が新たに受信されている場合には（Ｓｄ２１のＹＥＳ）、計時部６１６は計時を停止する（Ｓｄ２２）。その後、信号監視部６１８は、信号データベース７２１Ａを参照して、再開信号が新たに受信されているか否かを判定し（Ｓｄ２３）。再開信号が新たに受信されると（Ｓｄ２２のＹＥＳ）、計時部６１６は計時を途中から再開する（Ｓｄ２４）。
【０１０８】
ステップＳｄ２４の実行後、火災受信機５Ａの図示せぬ操作入力部を用いて動作終了指示がなされたか否かが判定され（Ｓｄ２５）、動作終了指示がなされていない場合には（Ｓｄ２５のＮＯ）、ステップＳｄ１７が再び実行され、動作終了指示がなされた場合には（Ｓｄ２５のＹＥＳ）、本表示制御動作は終了する。なお、ステップＳｄ１６の実行回数に合わせて、より強く避難を促すメッセージの火災画面を表示するようにしてもよい。
【０１０９】
以上説明した表示装置６Ｂによれば、火災受信機５Ａから火災情報信号を受信後、所定時間が経過するごとに、表示部６３に表示させる防災情報を切り替えることができる。言い換えると、火災の拡大に合わせて、表示部６３に表示させる防災情報を切り替えることができる。
【０１１０】
なお、上記の第２実施形態に係る遅延指示受付部５１４と停止指示受付部５１５と再開指示受付部５１６は、表示装置６Ｂに設けられてもよい。その場合、表示装置６Ｂに設けられた当該各部は、当該装置に設けられた図示せぬ操作入力部を用いて行われる指示を受け付ける。
【０１１１】
３−６．変形例６
上記の実施形態に係る表示制御サーバ７又は７Ａの表示制御部７１５は、表示装置６に防災情報を表示させる際に、当該防災情報を構成する各々異なる言語で表現された複数の防災情報の各々を、切り替えて表示させるのではなく、表示装置６上に分割して形成された異なる表示領域に表示させるようにしてもよい。この変形によれば、表示装置６の閲覧者は、自身が理解できる言語で表現された防災情報が表示されるまで待たされることがない。なお同様に、上記の変形例に係る表示装置６Ａ又は６Ｂの表示制御部６１２Ａは、表示部６３に防災情報を表示させる際に、当該防災情報を構成する各々異なる言語で表現された複数の防災情報の各々を、表示部６３上に分割して形成された異なる表示領域に表示させるようにしてもよい。
【０１１２】
３−７．変形例７
上記の実施形態に係る表示装置６に、発話者の音声を収音する収音部（図示略）を備えさせ、表示制御サーバ７又は７Ａの表示制御部７１５は、当該収音部に収音された音声に基づいて特定された使用言語により表現された防災情報を表示装置６に表示させるようにしてもよい。ここで、収音部とは、具体的にはマイクロフォンであり、音声に基づく使用言語の判定は、周知の言語判定方法（例えば特開２０１１−２４８００２号公報）を用いて行ってよい。この変形によれば、表示装置６の閲覧者は、自身が理解できる言語で表現された防災情報が表示されるまで待たされることがない。なお当該判定は、表示装置６、表示制御サーバ７又は７Ａ若しくは他の装置のいずれで行ってもよい。なお同様に、上記の変形例に係る表示装置６Ａ又は６Ｂに収音部を備えさせ、当該装置の表示制御部６１２Ａは、当該収音部に収音された音声に基づいて特定された使用言語により表現された防災情報を表示部６３に表示させるようにしてもよい。
【０１１３】
なお、表示装置６、６Ａ又は６Ｂに周知の質問応答システムを採用して、閲覧者からの質問に対して応答を行えるようにしてもよい。例えば応答は、表示される防災情報に含まれない火災の状況や避難口に関する詳細な情報等であって、表示部６３を介して行われてもよいし、図示せぬスピーカを介して音声で行われてもよい。また、近距離無線通信による送信により、閲覧者が所持する携帯端末に表示や発生させてもよく、閲覧者が移動しても携帯端末で取得した情報を参照することができる。
【０１１４】
３−８．変形例８
上記の実施形態に係る表示装置６に、閲覧者が利用する携帯端末から当該閲覧者の使用言語を示す言語情報を取得する言語情報取得部を備えさせ、表示制御サーバ７又は７Ａの表示制御部７１５は、当該言語情報取得部により取得された言語情報により示される言語で表現された防災情報を表示装置６に表示させるようにしてもよい。ここで、言語情報取得部とは、具体的には、近距離無線通信技術を用いて通信を行う近距離無線通信部である。ここで近距離通信技術には、Bluetooth（登録商標）や、ZigBee（登録商標）や、Wibree（登録商標）や、ＵＷＢ（Ultra Wide Band）や、ＮＦＣ（Near Field Communication）や、赤外線通信が含まれる。この変形によれば、表示装置６に必ずしも外国語の防災情報を表示しなくてもよくなる。なお同様に、上記の変形例に係る表示装置６Ａ又は６Ｂに言語情報取得部を備えさせ、当該装置の表示制御部６１２Ａは、当該言語情報取得部により取得された言語情報により示される言語で表現された防災情報を表示部６３に表示させるようにしてもよい。
【０１１５】
３−９．変形例９
上記の実施形態又は変形例に係る火災画面に、避難経路情報を含めるようにしてもよい。その場合、上記の実施形態に係る表示制御サーバ７又は７Ａの記憶部７２は、表示装置６のアドレスに対応付けて、火災感知器４のアドレスと避難経路情報の複数の組を格納する避難経路データベース（図示略）を予め記憶しておく。そして、当該サーバの情報生成部７１３又は７１３Ａは、信号データベース７２１又は７２１Ａと表示装置データベース７２２を参照して、避難経路情報を特定し、当該情報を火災画面情報に含める。この変形によれば、作動した火災感知器４の設置場所（すなわち火災発生場所）に応じて、表示装置６に表示させる避難経路情報を変更することができる。
【０１１６】
３−１０．変形例１０
上記の実施形態又は変形例に係る非火災報画面は、火災画面を表示した後の非火災信号により表示する場合は、火災の鎮火を示す火災鎮火画面としてもよい。
【符号の説明】
【０１１７】
１、１Ａ…防災システム、２…自動火災報知設備、３…表示システム、４…火災感知器、５、５Ａ…火災受信機、６、６Ａ、６Ｂ…表示装置、７、７Ａ…表示制御サーバ、８…通信回線、５１…制御部、５２…記憶部、５３…表示部、５４…操作入力部、５５…第１通信部、５６…第２通信部、６１…制御部、６２、６２Ａ…記憶部、６３…表示部、６４…通信部、７１…制御部、７２…記憶部、７３…通信部、５１１…第１信号受信部、５１２…火災判定部、５１３、５１３Ａ…信号送信部、５１４…遅延指示受付部、５１５…停止指示受付部、５１６…再開指示受付部、５２１…感知器データベース、６１１…表示指示受信部、６１２、６１２Ａ…表示制御部、６１３、６１３Ａ…第２信号受信部、６１４、６１４Ａ…情報生成部、６１５…表示順序特定部、６１６…計時部、６１７…時間経過判定部、６１８…信号監視部、６１９…所定時間変更部、７１１、７１１Ａ…第２信号受信部、７１２、７１２Ａ…表示先特定部、７１３、７１３Ａ…情報生成部、７１４…表示順序特定部、７１５…表示制御部、７１６…計時部、７１７…時間経過判定部、７１８…信号監視部、７１９…所定時間変更部、７２１、７２１Ａ…信号データベース、７２２…表示装置データベース、７２３…連動データベース
【図１】
2018124712.tif 000003
【図２】
2018124712.tif 000004
【図３】
2018124712.tif 000005
【図４】
2018124712.tif 000006
【図５】
2018124712.tif 000007
【図６】
2018124712.tif 000008
【図７】
2018124712.tif 000009
【図８】
2018124712.tif 000010
【図９】
2018124712.tif 000011
【図１０】
2018124712.tif 000012
【図１１】
2018124712.tif 000013
【図１２】
2018124712.tif 000014
【図１３】
2018124712.tif 000015
【図１４】
2018124712.tif 000016
【図１５】
2018124712.tif 000017
【図１６】
2018124712.tif 000018
【図１７】
2018124712.tif 000019
【図１８】
2018124712.tif 000020
【図１９】
2018124712.tif 000021
【図２０】
2018124712.tif 000022
【図２１】
2018124712.tif 000023